(57)【特許請求の範囲】
【請求項１】
端部の外形が円形である被包装物品の外形に合わせ、段ボール積層体の積層方向に切り抜かれた、被包装物品の収納用空間を有し、被包装物品の前記端部を前記収納用空間に挿入して、被包装物品の前記端部の円周面を支持する段ボール積層体を備えた段ボール製緩衝材において、
前記収納用空間に、被包装物品の挿入方向に段ボール積層体の複数層にわたって延びる中間部材を、被包装物品と段ボール積層体との間に挿入し、
前記中間部材は管状をなすことを特徴とする段ボール製緩衝材。
【請求項２】
前記被包装物品は画像形成装置に使用されるドラム素管または感光体ドラムであることを特徴とする請求項１に記載の段ボール製緩衝材。
【請求項３】
前記中間部材は樹脂成型品であることを特徴とする請求項１又は請求項２に記載の段ボール製緩衝材。
【請求項４】
前記中間部材は厚紙で形成されていることを特徴とする請求項１又は請求項２に記載の段ボール製緩衝材。
【発明の詳細な説明】
【技術分野】
【０００１】
本発明は、梱包用ケースの内部に配置して、ケースの運搬・保管時に被包装物品の損傷・破損等を防止するために使用する段ボール製緩衝材に関する。
【背景技術】
【０００２】
メーカーが生産した各種製品を出荷・運搬、あるいは出荷前に倉庫などに保管する際には、被包装物品の損傷・破損等の防止のために、段ボール等の梱包用ケースに緩衝材を介して各種製品を梱包するのが一般的である。
【０００３】
特に、画像形成装置に使用されるドラム素管や感光体ドラム等を梱包する場合には、緩衝材に形成された切り抜き部に被包装物品の一部分を挿入して、被包装物品の側面から支持する方法が一般的である。この種の緩衝材として従来、一般に使用されているものとしては、ポリウレタンフォーム、発泡ポリスチレン等の発泡合成樹脂系のものが挙げられる。これらは軽量で、成形が容易であり、緩衝性能も優れているが、焼却すると有毒ガスを発生する、リサイクルが困難である等の様々な環境への悪影響があることが知られている。
【０００４】
被包装物品の種類によらず緩衝材一般について、上記の理由により、リサイクルが容易な紙製のものが広く使用されるようになってきた。特に、段ボールを積層して用いた緩衝材が、その製作の容易さ、優れた緩衝機能により、広く求められるようになってきている。
【０００５】
特許文献１に記載の段ボール製緩衝材は、段ボール板材を屏風状に折り畳み、その折曲部分をスリットに結合させて積層したものである。また、特許文献２に記載の段ボール製緩衝材は、段ボール板材を屏風状に折り畳んで積層し、段ボール板材の側縁部分に設けられたストッパを積層端面の凹部にはめ込むことによって形成するものである。これらの段ボール製緩衝材は、感光体ドラム等を梱包する場合の緩衝材として用いることも可能である。
【特許文献１】特開平７−２９１３６０号公報
【特許文献２】特開２００１―２２５８７２号公報
【発明の開示】
【発明が解決しようとする課題】
【０００６】
これら特許文献１、特許文献２に記載の発明を利用して感光体ドラムを梱包する場合、図２に示したような構成となる。ここで、図２は段ボール製緩衝材及びこれに支持される感光体ドラムの垂直断面図であって、段ボール積層体１が感光体ドラム１０のフランジ部１１を支持している。図３は段ボール積層体１のみを示した垂直断面図であり、段ボール積層体１は、段ボールの層２、３、４、５を重ね合わせることによって形成されている。段ボール積層体１には、積層の方向に沿って収納用空間６が形成されている。図４は図２の左側のフランジ部１１の周辺部分のみを示した垂直断面図で、段ボール積層体１は、収納用空間６に、感光体ドラム１０のフランジ部１１の先端の凸部が挿入され、感光体ドラム１０を支持している。
【０００７】
ここで、図４に示すように、被包装物品である感光体ドラム１０の荷重は、段ボール積層体１の感光体ドラム１０に最も近い側の層２にのみかかり、段ボール積層体１の他の層３、４、５にはかからない。よって、ケースの運搬時・保管時等において、図４の下方への落下を繰り返すことにより、段ボール積層体１の層２が図５のようにつぶれ、被包装物品である感光体ドラム１０の下部が底面に付いてしまうという状態になりやすい。被包装物品の下部が底面に付いてしまうと、緩衝効果が失われ、以後のケースの運搬・保管時に被包装物品の損傷・破損等を引き起こす原因となる。
【０００８】
本発明は、上記の問題点を解決するためになされたものであって、その目的は、感光体ドラム等を梱包する場合のように、段ボール積層体によって構成される段ボール製緩衝材を用いて、段ボール積層体の積層方向に切り抜かれた収納用空間に被包装物品の一部分を挿入して、被包装物品の側面から支持する場合に、落下時の衝撃により、段ボール積層体が層単位で下方に押しつぶされて被包装物品の下部が底面に付くことを防止することである。
【課題を解決するための手段】
【０００９】
本発明は、被包装物品の外形に合わせ、段ボール積層体の積層方向に切り抜かれた、被包装物品の収納用空間を有し、被包装物品の一部分を収納用空間に挿入して、被包装物品の側面から支持する段ボール積層体を備えた段ボール製緩衝材において、
収納用空間に、被包装物品の挿入方向に段ボール積層体の複数層にわたって延びる中間部材を、被包装物品と段ボール積層体との間に挿入したことを特徴とする。
【００１０】
従来、緩衝材を段ボール積層体によって構成し、段ボール積層体の積層方向に切り抜かれた、被包装物品の外形に合わせた収納用空間に、被包装物品の一部分を挿入して、被包装物品の側面から支持する場合に、被包装物品の荷重が段ボール積層体の一部の層にのみかかることから、ケースの運搬時・保管時等において、底面落下を繰り返すことにより、その一部の層がつぶれやすく、よって被包装物品の下部が底面に付きやすくなっていた。被包装物品の下部が底面に付いてしまうと、緩衝効果が失われ、以後のケースの運搬・保管時に被包装物品の損傷・破損等を引き起こす要因となる。しかし、本発明においては、被包装物品の荷重を多くの層に分散させることができる。したがって、落下時の衝撃により、段ボール積層体が層単位で下方に押しつぶされて被包装物品の下部が底面に付くことを防止することが可能となる。
【００１１】
また、本発明を用いる主な被包装物品としては、例えば、ドラム素管、感光体ドラム等が挙げられる。
【００１２】
感光体ドラムの感光層は、傷が付きやすい材質によって構成されているので、梱包したときの下部となる感光層が底面に付くことを防止することはきわめて重要である。本発明によれば、落下時の衝撃により、段ボール積層体が層単位で下方に押しつぶされて被包装物品の下部が底面に付くことを防止することが可能であり、よって特に感光体ドラムに対する緩衝材として適している。
【００１３】
また、本発明においては、挿入する中間部材は特に管状をなすものを用いることが望ましい。材料としては、厚紙、樹脂成型品等のある程度の硬度があり、段ボール積層体の収納用空間に合うような形にできるものであればよい。
【００１４】
中間部材を管状をなすものとすることで、接着が不要となり、挿入も容易となる。また、厚紙等の変形可能な材料は、段ボール積層体の収納用空間に合うように変形させられたとき、元の形に戻ろうとして内壁を押止するため、安定した状態を保つことができるという利点がある。
【発明の効果】
【００１５】
本発明は、感光体ドラム等を梱包する場合等のように、緩衝材を段ボール積層体によって構成し、段ボール積層体の積層方向に切り抜かれた、被包装物品の外形に合わせた収納用空間に被包装物品の一部分を挿入して、被包装物品を側面から支持する場合に、落下時の衝撃により、段ボール積層体が層単位で下方に押しつぶされて被包装物品の下部が底面に付くことを防止することができる。
【発明を実施するための最良の形態】
【００１６】
以下、本発明の実施の形態について、図面に基づいて説明する。図１は本発明の実施の形態に係る段ボール製緩衝材を示す垂直断面図にして、感光体ドラムを支持した状態を示すものである。従来例の図２、図３、図４、図５と共通する部分には同一の符号を付して説明を省略する。
【００１７】
段ボール積層体１は、段ボールの層２、３、４、５を重ね合わせることによって形成されている。また、段ボール積層体１には、積層方向に切り抜かれた収納用空間６が形成されている。この収納用空間６に、被包装物品の挿入方向に段ボール積層体１の複数層、すなわち層２、３、４にわたって延びる中間部材７が、被包装物品である感光体ドラム１０と段ボール積層体１との間に挿入されている。感光体ドラム１０のフランジ部１１の先端の凸部は、軸線方向と垂直な断面が円形である。よって、収納用空間６も円筒状の凸部を受ける大きさ、形状をなしている。中間部材７は広げると長方形状の厚紙を管状に丸めて形成されている。厚紙は、段ボール積層体１の収納用空間６に合うように変形させられたとき、元の形に戻ろうとして内壁を押止するため、安定した状態を保つことができる。この収納用空間６に感光体ドラム１０のフランジ部１１を挿入して、感光体ドラム１０の一部分を支持する構成となる。
【００１８】
ここで、本実施形態においては、図１のように荷重を層２、３、４の３層に分散させることができる。したがって、底面落下を繰り返しても被包装物品である感光体ドラム１０の下部が底面に付くことを防止することが可能となる。
【００１９】
特に、本実施形態で示しているような感光体ドラム１０を対象とする場合は、感光体ドラム１０の下部が底面に付くことを防止することの効果が非常に大きい。何故なら、感光体ドラム１０を梱包したときに下部となる感光層は、傷が付きやすい材質によって構成されているからである。
【００２０】
また、本実施形態で示しているような段ボール製緩衝材は、製作がきわめて容易であり、量産性、形状安定性も優れている。また、接着剤や粘着テープを使用する必要がないので、環境に対する悪影響を最小限度に抑えることができる。
【００２１】
なお、本発明は上記の実施の形態に限定されず、本発明の趣旨を逸脱しない範囲で、種々の変更が可能である。例えば、中間部材７の材料は厚紙でなくともよく、樹脂成型品等の使用が考えられる。樹脂成型品は厚紙よりも硬く、形状が安定するというメリットがある。
【産業上の利用可能性】
【００２２】
本発明は特に、ドラム素管、感光体ドラム等の緩衝材として有効である。
【図面の簡単な説明】
【００２３】
【図１】本発明の実施形態に係る段ボール製緩衝材の垂直断面図にして、被包装物品として感光体ドラムを支持した状態を示す図である。
【図２】従来の段ボール製緩衝材の垂直断面図にして、感光体ドラムを支持した状態の全体を示す図である。
【図３】従来の段ボール製緩衝材単体の垂直断面図である。
【図４】従来の段ボール製緩衝材の垂直断面図にして、感光体ドラムを支持した状態を示す図である。
【図５】図４と同様の従来の段ボール製緩衝材の垂直断面図にして、段ボール積層体の一層が感光体ドラムに押し潰された状態を示す図である。
【符号の説明】
【００２４】
１    段ボール積層体
２、３、４、５    段ボール積層体の層
６    収納用空間
７    中間部材
１０    感光体ドラム
１１    感光体ドラムのフランジ部
【図１】
0004726560.tif 000002
【図２】
0004726560.tif 000003
【図３】
0004726560.tif 000004
【図４】
0004726560.tif 000005
【図５】
0004726560.tif 000006